(57)【特許請求の範囲】
【請求項１】
ノードから、物理リソースブロック（ＰＲＢ）のペアの拡張物理ダウンリンク制御チャネル（ｅＰＤＣＣＨ）の分散制御チャネル要素（ＣＣＥ）およびローカライズＣＣＥを送信するための方法であって、
前記ノードにより、前記ＰＲＢのペアに対する少なくとも１つの分散ＣＣＥおよび少なくとも１つのローカライズＣＣＥをプリコーディングする段階と、
少なくとも２つのユーザ機器に固有の基準信号（ＵＥＲＳ）ポートを使用して、送信ダイバーシチのための前記少なくとも１つの分散ＣＣＥを送信し、前記ＰＲＢのペアの前記少なくとも１つのローカライズＣＣＥを送信する段階であって、前記少なくとも２つのＵＥＲＳポートを使用して２つのＣＣＥを送信する段階と
を備え、
前記方法は、
ビーム形成用のプリコーディングベクトルｗを、前記ローカライズＣＣＥのうちの１つのためのＵＥＲＳポートに適用し、送信ダイバーシチのためのプリコーディングベクトルｏｒｔｈ（ｗ）を、前記分散ＣＣＥのためのＵＥＲＳポートに適用する段階
を備え、
ｏｒｔｈ（ｗ）が、ｗに直交するプリコーディングベクトルであり、ｗおよびｏｒｔｈ（ｗ）が、それぞれ、Ｎｔ×１ベクトルであり、Ｎｔが、ノード送信アンテナの数を示し、
前記少なくとも２つのＵＥＲＳポートは、プリコーディングベクトルｗを用いてプリコードされた前記ローカライズＣＣＥと、プリコーディングベクトルｏｒｔｈ（ｗ）を用いてプリコードした前記分散ＣＣＥとを送信する、
方法。
【請求項２】
前記ＰＲＢのペアは、１つの分散ＣＣＥと、少なくとも３つのローカライズＣＣＥとを含む、
請求項１に記載の方法。
【請求項３】
前記ＰＲＢのペアは、少なくとも２つの分散ＣＣＥと、少なくとも１つのローカライズＣＣＥとを含み、
前記方法は、
送信ダイバーシチのための２つのプリコーディングベクトルを、前記分散ＣＣＥのための２つのＵＥＲＳポートに適用する段階
を備える請求項１または２に記載の方法。
【請求項４】
送信ダイバーシチのための前記２つのプリコーディングベクトルは、複数のプリコーディングベクトルｗ１、ｗ２、ｗ３、およびｗ４からなる群から選択され、各プリコーディングベクトルは、Ｎｔ×１ベクトルであり、
Ｎｔは、ノード送信アンテナの数を示す、
請求項３に記載の方法。
【請求項５】
請求項１から４のいずれか１項に記載の方法をコンピュータに実行させるためのプログラム。
【請求項６】
請求項５に記載のプログラムを格納するコンピュータ可読記憶媒体。
【請求項７】
請求項１から４のいずれか１項に記載の方法を実行するノード。
【請求項８】
少なくとも１つの拡張物理ダウンリンク制御チャネル（ｅＰＤＣＣＨ）に対する物理リソースブロック（ＰＲＢ）のペアの分散制御チャネル要素（ＣＣＥ）およびローカライズＣＣＥを受信する無線デバイスであって、
前記ＰＲＢのペア内の送信ダイバーシチのための少なくとも１つの分散ＣＣＥと、少なくとも１つのローカライズＣＣＥとを受信するトランシーバモジュールであって、前記少なくとも２つのユーザ機器に固有の基準信号（ＵＥＲＳ）ポートを使用して２つのＣＣＥを受信する、トランシーバモジュールと、
前記少なくとも２つのＵＥＲＳポートを監視し、ダウンリンクチャネルを推定するチャネル推定器と
を備え、
前記チャネル推定器は、前記ローカライズＣＣＥのうちの１つのためのＵＥＲＳポートに適用されたビーム成形用のプリコーディングベクトルｗを用いてプリコードされたダウンリンクチャネルと、前記分散ＣＣＥのためのＵＥＲＳポートに適用された送信ダイバーシチのためのプリコーディングベクトルｏｒｔｈ（ｗ）を用いてプリコードされた前記ダウンリンクチャネルとをデコードし、
ｏｒｔｈ（ｗ）は、ｗに直交するプリコーディングベクトルであり、ｗおよびｏｒｔｈ（ｗ）は、それぞれ、Ｎｔ×１ベクトルであり、
Ｎｔは、ノード送信アンテナの数を示す、
無線デバイス。
【請求項９】
前記ＰＲＢのペアは、１つの分散ＣＣＥおよび少なくとも３つのローカライズＣＣＥを含む、
請求項８に記載の無線デバイス。
【請求項１０】
前記ＰＲＢのペアは、少なくとも２つの分散ＣＣＥおよび少なくとも１つのローカライズＣＣＥを含み、前記チャネル推定器は、前記少なくとも２つの分散ＣＣＥのための２つのＵＥＲＳポートに適用された送信ダイバーシチのための２つのプリコーディングベクトルを用いてプリコードされたダウンリンクチャネルをデコードする、
請求項８または９に記載の無線デバイス。
【請求項１１】
送信ダイバーシチのための前記２つのプリコーディングベクトルは、複数のプリコーディングベクトルｗ１、ｗ２、ｗ３、およびｗ４からなる群から選択され、各プリコーディングベクトルは、Ｎｔ×１ベクトルであり、
Ｎｔは、ノード送信アンテナの数を示す、
請求項１０に記載の無線デバイス。
【請求項１２】
前記無線デバイスは、ユーザ機器（ＵＥ）および移動局（ＭＳ）からなる群から選択され、前記無線デバイスは、アンテナ、タッチセンシティブディスプレイスクリーン、スピーカ、マイク、グラフィックスプロセッサ、アプリケーションプロセッサ、内部メモリ、不揮発性メモリポート、およびこれらの組み合わせのうち少なくとも１つを含む、
請求項８から１１のいずれか１項に記載の無線デバイス。
【請求項１３】
少なくとも１つの拡張物理ダウンリンク制御チャネル（ｅＰＤＣＣＨ）に対する物理リソースブロック（ＰＲＢ）のペアの分散制御チャネル要素（ＣＣＥ）およびローカライズＣＣＥを受信するためのプログラムであって、
前記ＰＲＢのペア内の送信ダイバーシチのための少なくとも１つの分散ＣＣＥと、少なくとも１つのローカライズＣＣＥとを受信する手順であって、前記少なくとも２つのユーザ機器に固有の基準信号（ＵＥＲＳ）ポートを使用して２つのＣＣＥを受信する、手順と、
前記少なくとも２つのＵＥＲＳポートを監視し、ダウンリンクチャネルを推定する手順と
をコンピュータに実行させ、
前記少なくとも２つのＵＥＲＳポートを監視し、ダウンリンクチャネルを推定する手順は、
前記ローカライズＣＣＥのうちの１つのためのＵＥＲＳポートに適用されたビーム成形用のプリコーディングベクトルｗを用いてプリコードされたダウンリンクチャネルと、前記分散ＣＣＥのためのＵＥＲＳポートに適用された送信ダイバーシチのためのプリコーディングベクトルｏｒｔｈ（ｗ）を用いてプリコードされた前記ダウンリンクチャネルとをデコードする手順
を含み、
ｏｒｔｈ（ｗ）は、ｗに直交するプリコーディングベクトルであり、ｗおよびｏｒｔｈ（ｗ）は、それぞれ、Ｎｔ×１ベクトルであり、
Ｎｔは、ノード送信アンテナの数を示す、
プログラム。
【請求項１４】
請求項１３に記載のプログラムを格納するコンピュータ可読記憶媒体。
【発明の詳細な説明】
【技術分野】
【０００１】
無線移動通信技術は、様々な規格およびプロトコルを使用してノード（例えば送信局またはトランシーバノード）と無線デバイス（例えばモバイルデバイス）との間でデータを送信する。いくつかの無線デバイスは、ダウンリンク（ＤＬ）送信において直交周波数分割多元接続（ＯＦＤＭＡ）を、またアップリンク（ＵＬ）送信においてシングルキャリア周波数分割多元接続（ＳＣ−ＦＤＭＡ）を使用して通信する。信号伝送に直交周波数分割多重（ＯＦＤＭ）を使用する規格およびプロトコルとしては、第三世代パートナーシッププロジェクト（３ＧＰＰ）のロングタームエボリューション（ＬＴＥ）、業界団体にはＷｉＭＡＸ（登録商標）（ワールドワイド・インターオペラビリティ・フォーマイクロウェーブ・アクセス）として通常知られる米国電気電子学会（ＩＥＥＥ）の８０２．１６規格（例えば８０２．１６ｅ、８０２．１６ｍ）、および業界団体にＷｉＦｉとして通常知られるＩＥＥＥ８０２．１１規格が挙げられる。
【０００２】
３ＧＰＰ無線アクセスネットワーク（ＲＡＮ）のＬＴＥシステムにおいて、ノードは、次世代ユニバーサル地上無線アクセスネットワーク（Ｅ−ＵＴＲＡＮ）のノードＢ（通常は次世代ノードＢ、拡張ノードＢ、ｅＮｏｄｅＢ、またはｅＮＢとも呼ばれる）、およびユーザ機器（ＵＥ）として知られる無線デバイスと通信する無線ネットワークコントローラ（ＲＮＣ）の組み合わせである可能性がある。ダウンリンク（ＤＬ）送信は、ノード（例えばｅＮｏｄｅＢ）から無線デバイス（例えばＵＥ）への通信であり、アップリンク（ＵＬ）送信は、無線デバイスからノードへの通信である可能性がある。
【０００３】
ＬＴＥにおいて、データは、物理ダウンリンク共有チャネル（ＰＤＳＣＨ）を介してｅＮｏｄｅＢからＵＥへと送信することができる。物理ダウンリンク制御チャネル（ＰＤＣＣＨ）は、ＰＤＳＣＨ、アップリンクリソース許可、およびアップリンク電力制御コマンドへのダウンリンクリソース割り当てに関連するリソース配分またはスケジューリングについてＵＥに通知するダウンリンク制御情報（ＤＣＩ）を送信するべく使用することができる。ＰＤＣＣＨは、ｅＮｏｄｅＢからＵＥに送信された各サブフレームにおいてＰＤＳＣＨの前に送信することができる。
【０００４】
ＰＤＣＣＨ信号は、セル固有基準信号（ＣＲＳ）に基づいてＵＥで復調されるように設計することができる。しかしながら、ＣＲＳの使用では、次世代ＬＴＥシステムの増大した複雑性を考慮していない。例えば、異種ネットワークにおいて、複数のノードは、１つのセル内で同時に送信することができるセル固有基準信号を使用すると、先端技術がセル容量を増大させるのを抑制し得る。
【図面の簡単な説明】
【０００５】
本開示の特徴および利点は、例により本開示の特徴を図示する添付の図面を合わせて参照すれば、以下の詳細な説明から明らかとなるであろう。
【図１】例示により、レガシー物理ダウンリンク制御チャネル（ＰＤＣＣＨ）を含む無線フレームリソース（例えばリソースグリッド）のブロック図を図示する。
【図２】例示により、様々なコンポーネントキャリア（ＣＣ）の帯域幅のブロック図を図示する。
【図３】例示により、ダウンリンク制御情報（ＤＣＩ）に関連する４つのローカライズアグリゲーションレベル１の制御チャネル要素（ＣＣＥ）を１つの物理リソースブロック（ＰＲＢ）のペアに多重化するブロック図を図示する。
【図４】例示により、ローカライズ拡張物理ダウンリンク制御チャネル（ｅＰＤＣＣＨ）および分散ｅＰＤＣＣＨを使用してサブフレームにマッピングした制御チャネル要素（ＣＣＥ）およびリソース要素群（ＲＥＧ）のブロック図を図示する。
【図５】例示により、ローカライズｅＰＤＣＣＨおよび分散ｅＰＤＣＣＨを使用して、サブフレームにマッピングした拡張物理ダウンリンク制御チャネル（ｅＰＤＣＣＨ）のブロック図を図示する。
【図６】例示により、拡張物理ダウンリンク制御チャネル（ｅＰＤＣＣＨ）の物理リソースブロック（ＰＲＢ）および物理ダウンリンク共有チャネル（ＰＤＳＣＨ）のＰＲＢを有するリソース配分タイプ０を使用するリソースブロックの割り当てのブロック図である。
【図７】例示により、拡張物理ダウンリンク制御チャネル（ｅＰＤＣＣＨ）の物理リソースブロック（ＰＲＢ）および物理ダウンリンク共有チャネル（ＰＤＳＣＨ）のＰＲＢを有するリソース配分タイプ１を使用するリソースブロックの割り当てのブロック図を図示する。
【図８】例示により、ノードから、物理リソースブロック（ＰＲＢ）のペアの拡張物理ダウンリンク制御チャネル（ｅＰＤＣＣＨ）の分散制御チャネル要素（ＣＣＥ）およびローカライズＣＣＥを送信するための方法の流れ図を例示する。
【図９】例示により、無線デバイスで少なくとも１つの拡張物理ダウンリンク制御チャネル（ｅＰＤＣＣＨ）を使用した物理ダウンリンク共有チャネル（ＰＤＳＣＨ）の物理リソースブロック（ＰＲＢ）配分のための方法の流れ図を図示する。
【図１０】例示により、ノードおよび無線デバイスのブロック図を図示する。
【図１１】例示により、無線デバイスのダイアグラムを図示する。ここで図示される例示的な実施形態を参照し、本明細書においては特定の言語を用いて例示的な実施形態を説明する。それにもかかわらず、本発明の範囲を限定することはそれにより意図されないことを理解されたい。
【発明を実施するための形態】
【０００６】
本発明を開示および説明する前に、当業者が理解するように、本発明が本明細書に開示される特定の構造、処理段階、または材料に限定されず、その均等物に拡張されることを理解されたい。本明細書において使用する専門用語は、特定の例のみを説明する目的で用いられ、限定することを意図しないことも理解されたい。異なる図面における同一の参照番号は、同一の要素を表す。流れ図および工程において提供される数は、段階および操作を図示する場合の明瞭さのために提供され、特定の順序または順番を必ずしも示すものではない。
【０００７】
例示的実施形態
【０００８】
技術の実施形態の初期的概観を以下に提供し、次いで、特定の技術の実施形態を後に更に詳細に説明する。この初期的な要約は、本技術をより迅速に理解するうえで読者に役立つことを意図し、本技術の重要な特徴または本質的特徴を特定することを意図せず、特許請求した主題の範囲を限定することを意図しない。
【０００９】
物理ダウンリンク共有チャネル（ＰＤＳＣＨ）上でのデータの通信は、物理ダウンリンク制御チャネル（ＰＤＣＣＨ）と呼ばれる制御チャネルを介して制御することができる。ＰＤＣＣＨは、ダウンリンク（ＤＬ）およびアップリンク（ＵＬ）のリソース割り当て、送信電力コマンド、およびページングインジケータに使用することができる。ＵＥに固有のトラフィックを搬送するために、ＰＤＳＣＨスケジューリング許可を専用のＰＤＳＣＨリソース配分のための特定の無線デバイス（例えばＵＥ）に対して指定し、または、システム情報またはページング等のブロードキャスト制御情報を搬送するために、ＰＤＳＣＨスケジューリング許可を、共通のＰＤＳＣＨリソース配分のためのセルにおける全ての無線デバイスに対して指定することができる。
【００１０】
一例において、ＰＤＣＣＨおよびＰＤＳＣＨは、図１において図示するように、一般的な３ＧＰＰロングタームエボリューション（ＬＴＥ）フレーム構造を使用してノード（例えばｅＮｏｄｅＢ）と無線デバイス（例えばＵＥ）との間のダウンリンク送信における物理（ＰＨＹ）層上で送信された無線フレーム構造の要素を表し得る。
【００１１】
図１は、ダウンリンク無線フレーム構造のタイプ２を図示する。一例において、データを送信するべく使用される信号の無線フレーム１００は、１０ミリ秒（ｍｓ）の持続時間Ｔｆを有するように構成され得る。各無線フレームは、各々の長さが１ｍｓである１０のサブフレーム１１０ｉにセグメント分けまたは分割することができる。各サブフレームは、２つのスロット１２０ａおよび１２０ｂに更に細分することができ、その各々は０．５ｍｓの持続時間Ｔｓｌｏｔを有する。第１のスロット（＃０）１２０ａは、レガシー物理ダウンリンク制御チャネル（ＰＤＣＣＨ）１６０および／または物理ダウンリンク共有チャネル（ＰＤＳＣＨ）１６６を含むことができ、第２のスロット（＃１）１２０ｂは、ＰＤＳＣＨを使用して送信されたデータを含むことができる。
【００１２】
ノードおよび無線デバイスにより使用されるコンポーネントキャリア（ＣＣ）の各スロットは、ＣＣ周波数帯域幅に基づく複数のリソースブロック（ＲＢ）１３０ａ、１３０ｂ、１３０ｉ、１３０ｍ、および１３０ｎを含み得る。ＣＣは、帯域幅および中心周波数を有する搬送周波数を有し得る。ＣＣの各サブフレームは、レガシーＰＤＣＣＨにおいて見られるダウンリンク制御情報ＤＣＩを含むことができる。制御領域におけるレガシーＰＤＣＣＨは、レガシーＰＤＣＣＨを使用する場合に、各サブフレームまたはＲＢにおける第１のＯＦＤＭシンボルの１〜３の列を含み得る。サブフレームにおける残余の１１〜１３のＯＦＤＭシンボル（またはレガシーＰＤＣＣＨを使用しない場合に１４のＯＦＤＭシンボル）は、データ（短い、すなわち通常のサイクリックプレフィクス）のＰＤＳＣＨに配分してもよい。
【００１３】
各ＲＢ（物理的ＲＢまたはＰＲＢ）１３０ｉは、１スロット毎に１２〜１５ｋＨｚのサブキャリア１３６（周波数の軸上）、ならびに６または７の直交周波数分割多重（ＯＦＤＭ）のシンボル１３２（時間軸上）を含み得る。短い、すなわち通常のサイクリックプレフィクスを使用する場合に、ＲＢは、７のＯＦＤＭシンボルを使用することができる。拡張サイクリックプレフィクスを使用する場合、ＲＢは、６のＯＦＤＭシンボルを使用することができる。短い、または通常のサイクリックプレフィクスを使用して、リソースブロックを８４のリソース要素（ＲＥ）１４０ｉにマッピングすることができ、または拡張サイクリックプレフィクスを使用して、リソースブロックを７２のＲＥ（図示せず）にマッピングすることができる。ＲＥは、１つのサブキャリア（すなわち１５ｋＨｚ）１４６による１つのＯＦＤＭシンボル１４２の単位であり得る。
【００１４】
直交位相偏移（ＱＰＳＫ）変調の場合に、各ＲＥは、２つのビット１５０ａおよび１５０ｂの情報を送信することができる。各ＲＥにおいてより大きな数のビットを送信する１６の直交振幅変調（ＱＡＭ）または６４のＱＡＭ等の変調、または各ＲＥにおいてより少ない数のビット（１ビット）を送信する二位相偏移（ＢＰＳＫ）変調等、他のタイプの変調を使用してもよい。ＲＢは、ｅＮｏｄｅＢからＵＥにダウンリンク送信するように構成することができ、またはＲＢは、ＵＥからｅＮｏｄｅＢへとアップリンク送信するように構成され得る。
【００１５】
各無線デバイスは、少なくとも１つの帯域幅を使用することができる。図２に図示するように、帯域幅は、信号帯域幅、キャリア帯域幅、またはコンポーネントキャリア（ＣＣ）帯域幅と呼ばれ得る。例えば、ＬＴＥのＣＣ帯域幅は、１．４ＭＨｚ３１０、３ＭＨｚ３１２、５ＭＨｚ３１４、１０ＭＨｚ３１６、１５ＭＨｚ３１８、および２０ＭＨｚ３２０を含み得る。１．４ＭＨｚのＣＣは、７２のサブキャリアを有する６つのＲＢを備えることができる。３ＭＨｚのＣＣは、１８０のサブキャリアを有する１５のＲＢを備えることができる。５ＭＨｚのＣＣは、３００のサブキャリアを有する２５のＲＢを備えることができる。１０ＭＨｚのＣＣは、６００のサブキャリアを有する５０のＲＢを備えることができる。１５ＭＨｚのＣＣは、９００のサブキャリアを有する７５のＲＢを備えることができる。２０ＭＨｚのＣＣは、１２００のサブキャリアを有する１００のＲＢを備えることができる。
【００１６】
ＰＤＣＣＨに搬送されるデータは、ダウンリンク制御情報（ＤＣＩ）と呼ばれ得る。無線フレームの１つのサブフレームにおいて複数の無線デバイスをスケジュールすることができる。従って、複数のＰＤＣＣＨを使用して複数のＤＣＩメッセージを送信することができる。ＰＤＣＣＨにおけるＤＣＩ情報は、１または複数の制御チャネル要素（ＣＣＥ）を使用して送信することができる。ＣＣＥは、リソース要素群（ＲＥＧ）のグループから構成され得る。レガシーＣＣＥは、最大９のＲＥＧを含むことができる。各ＲＥＧは、４つのリソース要素（ＲＥ）から構成され得る。直交変調を使用する場合には、各リソース要素は、２ビットの情報を含むことができる。従って、レガシーＣＣＥは、最大７２ビットの情報を含むことができる。ＤＣＩメッセージを伝達するべく７３ビット以上の情報が必要とされる場合、複数のＣＣＥを使用することができる。複数のＣＣＥの使用は、アグリゲーションレベルと呼ばれ得る。一例において、アグリゲーションレベルは、１つのＰＤＣＣＨに配分された１、２、４、または８の連続したＣＣＥとして定義することができる。
【００１７】
レガシーＰＤＣＣＨは、他の区域の無線通信においてなされた進展に限定を加えることができる。例えば、ＯＦＤＭシンボル内のＣＣＥをサブフレームにマッピングすることは、通常、空間ダイバーシチを提供するために制御領域にまたがっている。しかし、ビーム形成ダイバーシチは、現在のマッピング手順においてはできない場合がある。
【００１８】
更に、レガシーＰＤＣＣＨの容量は、先端の制御シグナリングには十分でないことがある。例えば、ネットワークは、１つのマクロセルのサービス提供区域におけるいくつかの異なる種類の複数のノードを含み得る異種ネットワーク（ＨｅｔＮｅｔ）として構成してもよい。より多くの無線デバイスには、ＨｅｔＮｅｔにおけるマクロセルおよびピコセルにより同時にサービス提供することができる。ＰＤＣＣＨは、セル固有の基準信号（ＣＲＳ）に基づいて復調するように設計することができ、これによりセル分割利得を十分に調査することを困難にし得る。レガシーＰＤＣＣＨは、無線デバイスがＨｅｔＮｅｔにおける複数の送信ノードを利用することを可能にし、無線デバイスで帯域幅を増加させ、バッテリーの使用を減らすべく、必要な情報を伝達するには十分でないことがある。
【００１９】
更に、ＰＤＣＣＨにおいて増加した容量は、マルチユーザのマルチ入力およびマルチ出力（ＭＵ−ＭＩＭＯ）、マシンとマシンの通信（Ｍ２Ｍ）、マルチキャスト／ブロードキャストの単一周波数ネットワークにおけるＰＤＳＣＨ送信、およびクロスキャリアスケジューリングを使用するときに有用であり得る。無線デバイスでのＰＤＣＣＨ復調においてＵＥに固有の基準信号（ＵＥＲＳ）を使用すると、ＨｅｔＮｅｔにおいて複数のノードを使用することを可能にし得る。全セルに対する１つの共通な基準シンボル（例えばＣＲＳ）に依存するのではなく、各基準シンボルは、ＵＥに固有であり得る（例えばＵＥＲＳ）。
【００２０】
レガシーＰＤＣＣＨの制約を克服するべく、拡張ＰＤＣＣＨ（ｅＰＤＣＣＨ）は、レガシーＰＤＣＣＨにおいて、サブフレームにおける第１のスロットＰＲＢの第１〜第３の列のＯＦＤＭシンボルのみでなく、ＰＲＢまたはＰＲＢのペア全体（ＰＲＢのペアは、同一のサブキャリアのサブフレームを使用する２つの隣接するＰＲＢである）におけるＲＥを使用することができる、従って、ｅＰＤＣＣＨは、増加した容量で、セルラネットワークの設計において進歩を可能にし、現在知られている問題および制約を最小化するように構成され得る。
【００２１】
レガシーＰＤＣＣＨと異なり、ｅＰＤＣＣＨは、異なるＰＲＢにおけるＰＲＢ内の領域についてＰＤＳＣＨとして、同一のＲＥまたは領域にマッピングすることができる。一例において、ＰＤＳＣＨおよびｅＰＤＣＣＨは、同一のＰＲＢ（または同一のＰＲＢのペア）内で多重化できないことがある。従って、１つのＰＲＢ（または１つのＰＲＢのペア）がｅＰＤＣＣＨを含む場合、ＰＲＢ（またはＰＲＢのペア）における未使用のＲＥは、空きとされることがある。ＲＥをＰＤＳＣＨには使用することができないからである。
【００２２】
図３は、ＰＲＢのペア１２８におけるｅＰＤＣＣＨの４つのＤＣＩ１８２、１８４、１８６、および１８８を図示する。ｅＰＤＣＣＨの各ＤＣＩは、少なくとも１つのＣＣＥにより送信することができ、各ＣＣＥは、複数のＲＥＧを含むことができ、各ＲＥＧは、複数のＲＥを含むことができる。図３は、複数のアグリゲーションレベル１（ＡＧＬ１）のローカライズＣＣＥが１つのＰＲＢのペアにおいて多重化された場合のｅＰＤＣＣＨの多重化パターンを図示する。アグリゲーションレベル１のＣＣＥ（例えば１つのＣＣＥ）は、ＤＣＩを含むことができ、従って４つのＣＣＥが４つの別個のＤＣＩを含み得る。別の例（図示せず）において、アグリゲーションレベル２のＣＣＥ（例えば２つのＣＣＥ）は、１つのＤＣＩを含むことができる。ＰＲＢのペアは、レガシー制御１６２（例えばレガシーＰＤＣＣＨ）、ならびに復調およびチャネル推定に使用される、セル固有の基準信号（ＣＲＳ）１７０、ならびにＵＥに固有の基準信号（ＵＥＲＳ）１７２および１７４等の基準信号も含むことができる。一例において、ＤＣＩ１およびＤＣＩ２は、ＵＥＲＳ１７２を使用することができ、ＵＥＲＳ１７２は、ＤＣＩ３およびＤＣＩ４により使用されるＵＥＲＳ１７４とは異なることがある。
【００２３】
ＰＲＢのペアまたはＰＲＢのペアは、ローカライズｅＰＤＣＣＨおよび分散ｅＰＤＣＣＨ送信の双方をサポートするべく使用することができる。図４および５は、スロットまたはサブフレームにおけるローカライズｅＰＤＣＣＨおよび分散ｅＰＤＣＣＨを図示する。図４に図示するように、ローカライズｅＰＤＣＣＨ３２２ａ〜ｂにおいて、ＣＣＥ３１０ａ〜ｈの全ては、サブバンド３３８ａおよび３３８ｃ内のＰＲＢ３３０ａおよび３３０ｃ（またはＰＲＢのペア）内に存在し得る。一例において、ローカライズＣＣＥのＲＥＧ（またはＲＥ）は、互いに隣接することがあり、次のＣＣＥがこれに続くことがある。分散ｅＰＤＣＣＨ３２４ａ〜ｂにおいて、ＣＣＥ３１２ａ〜ｂのＲＥＧ３４０ａ〜ｂ、３４２ａ〜ｂ、３４４ａ〜ｂ、３４６ａ〜ｂ、３４８ａ〜ｂ、３５０ａ〜ｂ、３５２ａ〜ｂ、および３５４ａ〜ｂは、複数のＰＲＢ３３０ｂおよび３３０ｄ（またはＰＲＢのペア）にわたって分散され得る。ＰＲＢ３３０ｂ内のＲＥＧ３４０ａ、および別のＰＲＢ３３０ｄ内のＲＥＧ３４０ｂは、ＤＣＩまたは分散ｅＰＤＣＣＨのＣＣＥ３１２ａを形成することができる。分散ｅＰＤＣＣＨにおいて、ＣＣＥのＲＥＧは、２つまたはそれ以上のＰＲＢ（または２つまたはそれ以上のＰＲＢのペア）にわたって分散され得る。一例において、分散ｅＰＤＣＣＨにおいて使用されるＣＣＥのＲＥＧは、異なるサブバンド３３８ｂおよび３３８ｄにわたって分散され得る。
【００２４】
図５は、サブフレーム内のＣＣＥ、ＲＥＧ、およびＲＥにマッピングしたローカライズｅＰＤＣＣＨおよび分散ｅＰＤＣＣＨの別の例を提供する。図５の例において、各リソースブロックのペアは、２つのリソースブロック（ＲＢまたはＰＲＢ）を備え、それぞれは同一のサブキャリアを有し、図１に示すように無線フレームのサブフレームにおける第１および第２のスロット内に位置し得る。各ＲＢは、少なくとも１つのＣＣＥを含むことができる。ＣＣＥは、ＲＢ内の定義された位置に存在することがある。しかし、ＣＣＥは、リソースブロック全体に位置するＲＥＧを含んでもよい。各ＲＥＧは、４つのＲＥを含み得る。しかし、システム要求に基づいて、ＲＥＧは、多かれ少なかれＲＥを含み得る。一例において、ＲＥＧ内に位置するＲＥは、周波数および時間のうち少なくとも１つにおいて隣接し得る。別の例において、ＲＥＧ内に位置するＲＥは、時間および／または周波数に分離することができる。ＣＣＥにおけるＲＥＧの数は、９等の固定した数であってもよい。あるいは、ＲＥＧの数は、ＤＣＩデータロード要求（すなわちＤＣＩデータの量）、または物理制御フォーマットインジケータチャネル（ＰＣＦＩＣＨ）要求、物理ハイブリッドＡＲＱインジケータチャネル（ＰＨＩＣＨ）要求、および各リソースブロック内に配分されたデータに対するリソースシンボル要求等、ＲＢにおいて競合する他の要求に基づいて変動してもよい。ＣＣＥは、物理リソースブロックのペアにおけるスロットの境界を越えてマッピングすることができる
【００２５】
図５に示すように、アグリゲーションレベル（ＡＧＬ）１を有するローカライズｅＰＤＣＣＨ４０２は、１つのＣＣＥにマッピングすることができ、ＣＣＥは、１つのＲＢにマッピングすることができる。同様に、アグリゲーションレベル２を有するローカライズｅＰＤＣＣＨ４０４は、ＲＢにおける２つの隣接するＣＣＥにマッピングしてもよい。分散ｅＰＤＣＣＨ４０６および４０８については、ＣＣＥ（例えばＣＣＥ１およびＣＣＥ  Ｎ）は、異なる複数の周波数キャリアおよびサブキャリアにおける異なる複数のＲＢの複数のＲＥＧにマッピングすることができる。例えば、ＣＣＥ  ＮのＲＥＧは、周波数において分散され得る。ＲＥＧの周波数分離は、周波数ダイバーシチ利得を提供することができる。２つ以上のＲＥＧを、別のＲＥＧとして同一のＲＢにマッピングすることができるが、一例において、ＣＣＥにおける各ＲＥＧは、別個のＲＢにマッピングしてもよい。より大きな周波数ダイバーシチ利得は、広範に分散ＲＥＧと共に生じ得る。ＣＣＥ１およびＣＣＥ  ＮにおけるＲＥＧは、サブフレームにおけるＲＢ間で同一の分散（図示）または異なる分散（図示せず）を有することがある。分散したｅＰＤＣＣＨ４０６および４０８において図示したＲＥＧは、それぞれ、ＲＢ内で同一の時間位置に存在するものとして示されるが、各ＣＣＥについては、分散ｅＰＤＣＣＨのＲＢ内の同一の時間位置は要求されない。ＣＣＥ１およびＣＣＥ  Ｎにおける分散ＲＥＧは、リソースブロック内の異なる一時的な位置に存在することがある。サブフレームにおける各ＣＣＥは、同一の数のＲＥＧまたは異なる数のＲＥＧを有し得る。分散ｅＰＤＣＣＨは、アグリゲーションレベル１を有し得る。アグリゲーションレベル１は、ＤＣＩ情報を１つのＣＣＥにマッピングすることができることを意味する。
【００２６】
サブフレームにおける異なるリソースブロックに対する周波数上に、ＣＣＥのＲＥＧを分散させると、周波数ダイバーシチ利得の増加を提供することができる。図５は、分散ｅＰＤＣＣＨ４０６および４０８の送信を例示する。
【００２７】
別の例において、ｅＰＤＣＣＨが１より大きいアグリゲーションレベル２（例えばアグリゲーションレベル２、４、または８）を有する場合、ＣＣＥはローカライズＣＣＥまたは分散ＣＣＥを含み得る。ローカライズＣＣＥは、互いに隣接するＣＣＥ（１より大きいアグリゲーションレベルを有するｅＰＤＣＣＨに対する）であり得、時間または周波数における次のＣＣＥがこれに続くことがある。分散ＣＣＥは、隣接しないＣＣＥ（１より大きいアグリゲーションレベルを有するｅＰＤＣＣＨに対する）、または複数のＰＲＢ（またはＰＲＢのペア）上に分散ＣＣＥであり得る。
【００２８】
別の構成において、ローカライズｅＰＤＣＣＨおよび分散ｅＰＤＣＣＨは、１つのサブフレームの１つのＰＲＢのペアにおいて多重化することができる。再び図３を参照すると、異なるＤＣＩは、１つのサブフレームの２つのスロットにわたる同一のＰＲＢのペアにおいて周波数分割多重伝送（ＦＤＭ）され得る。一例において、アンテナポート７、８、９、および／または１０を、１つのＰＲＢのペアにおいて使用することができる。図３に示すように、別の例において、１つのＰＲＢのペアを４つのＣＣＥに分割し、ＡＧＬ１を有する４つのＤＣＩを搬送することができる。各ＵＥＲＳポートは、復調および／またはチャネル推定のために１つのＣＣＥに関連付けることができる。一例において、２つのＣＣＥ（例えばＤＣＩ）は、２つのＵＥＲＳアンテナポート１７２および１７４を共有することができる。
【００２９】
図５においてすでに図示したように、ＣＣＥレベルの周波数ドメイン多重化は、ローカライズＣＣＥと分散ＣＣＥとの間で使用することができる。ローカライズｅＰＤＣＣＨおよび分散ｅＰＤＣＣＨは、異なる送信モードを使用することができる。例えば、ローカライズｅＰＤＣＣＨは、ビーム形成を使用することができ、分散ｅＰＤＣＣＨは、送信ダイバーシチを使用することができる。少なくとも２つのＵＥＲＳポートが送信ダイバーシチには必要とされるので、１つのＰＲＢのペアにおいて異なる数の分散ＣＣＥを使用する場合、異なる送信スキームを使用してもよい。
【００３０】
例えば、１つのＰＲＢのペアにおいて、分散ｅＰＤＣＣＨ送信（例えばＴｘダイバーシチ）用に１つのＣＣＥが予約される場合、他のＣＣＥは、ローカライズｅＰＤＣＣＨ伝送用に予約され得る。このコンセプトを更に例示すると、ビーム形成は、ローカライズ伝送用の３つのＵＥＲＳポート（例えばＵＥＲＳポート７〜９）に適用することができ、１つのＵＥＲＳポート（例えばＵＥＲＳポート１０）のみが送信ダイバーシチの送信に利用可能であり得る。少なくとも２つのＵＥＲＳポートが送信ダイバーシチに必要とされ得るので、無線デバイスは、ローカライズ伝送に使用されるＵＥＲＳポート１０および別のＵＥＲＳポート
【数１】
0005987231.tif 000002
を監視することにより、ダウンリンクチャネルを推定することができる。プリコーディングベクトルｗは、アンテナポートｘにより使用され得る。ローカライズｅＰＤＣＣＨ伝送からの最小限の干渉を提供するべく、ＵＥＲＳポート１０（分散ｅＰＤＣＣＨ送信用）に適用されるプリコーディングベクトルは、プリコーディングベクトルｗに垂直であり得る。分散ｅＰＤＣＣＨ送信に使用される１つのＵＥＲＳポート（例えばＵＥＲＳポート１０）のプリコーディングベクトルは、ｏｒｔｈ（ｗ）により表すことができ、ｏｒｔｈ（ｗ）は、ｗに垂直なプリコーディングベクトルである。一例において、プリコーディングベクトルｗおよびｏｒｔｈ（ｗ）は、空間多重化（例えばビーム形成）のコードブックに含まれ、プリコーディングマトリクスインジケータ（ＰＭＩ）、ランクインジケータ（ＲＩ）、またはチャネル品質インジケータ（ＣＱＩ）等のフィードバックレポートに対応することができる。
【００３１】
説明図として図３を用いると、ＤＣＩ１  １８２は、分散ｅＰＤＣＣＨにおいて送信することができ、ＤＣＩ２  １８４、ＤＣＩ３  １８６、およびＤＣＩ４  １８８は、ローカライズｅＰＤＣＣＨにおいて送信することができる。ＤＣＩ２のＣＣＥは、プリコーディングベクトルｗを用いてプリコードすることができ、ＤＣＩ１は、プリコーディングベクトルｏｒｔｈ（ｗ）を用いてプリコードすることができる。
【００３２】
１つのＰＲＢのペアにおける分散ｅＰＤＣＣＨ送信に２つまたはそれ以上のＣＣＥを使用する別の例において、分散ｅＰＤＣＣＨ送信に使用されるＣＣＥと関連する任意の２つのＵＥＲＳポート（例えばＵＥＲＳポート７、８、９、および／または１０）を送信（Ｔｘ）ダイバーシチに使用することができる。ローカライズｅＰＤＣＣＨ伝送に使用されるＰＲＢのペアの残余のＣＣＥは、ビーム形成を用いて送信することができる。
【００３３】
説明図として図３を用いると、ＤＣＩ１  １８２およびＤＣＩ２  １８４は、ＵＥＲＳポート７および８がＤＣＩ１および２に関連する分散ｅＰＤＣＣＨにおいて送信することができ、ＤＣＩ３  １８６およびＤＣＩ４  １８８は、ＵＥＲＳポート９および１０がＤＣＩ３および４と関連するローカライズｅＰＤＣＣＨにおいて送信することができる。１つのＰＲＢのペアの分散ｅＰＤＣＣＨ送信に３つのＣＣＥを使用する場合、ローカライズｅＰＤＣＣＨ伝送に１つのＣＣＥを使用することができる。例えば、ＤＣＩ１  １８２、ＤＣＩ２  １８４、およびＤＣＩ３  １８６は、ＵＥＲＳポート７、８、および９がＤＣＩ１、２、および３と関連する分散ｅＰＤＣＣＨにおいて送信することができ、ＤＣＩ４  １８８は、ＵＥＲＳポート１０がＤＣＩ４と関連するローカライズｅＰＤＣＣＨにおいて送信することができる。分散ｅＰＤＣＣＨおよびローカライズｅＰＤＣＣＨは、いずれのＵＥＲＳポート番号も使用することができる。
【００３４】
送信ダイバーシチは、信号伝送に２つまたはそれ以上の物理的に別個の送信アンテナを使用することを含み得る。送信ダイバーシチは、空間ダイバーシチとしても知られるアンテナダイバーシチのタイプであり、２つまたはそれ以上のアンテナを用いて無線リンクの質および信頼性を向上させることができる。多くの場合、特に都市および屋内環境において、トランシーバとレシーバとの間に明確な直線距離（ＬＯＳ）が存在しないことがある。そのため、信号は、最終的に受信される前に複数の経路に沿って反射されることがある。それぞれの信号反射のバウンスは、受信アンテナのアパーチャで互いに壊滅的に干渉し得る位相変位、時間遅延、減衰、および／または歪みを導入する可能性がある。アンテナダイバーシチまたは送信ダイバーシチは、多経路干渉を軽減するのに効果的であり得る。
【００３５】
ビーム形成（空間多重化または空間フィルタリングとも呼ばれる）は、指向性信号の伝送または受信のためのアンテナアレイにおいて使用される信号処理技術であり得る。ビーム形成は、特定の角度の信号が強め合う干渉を受けるが、他の信号は弱め合う干渉を受けるように、アレイの要素を組み合わせることにより実現することができる。ビーム形成は、空間的選択性を得るべく送信（または受信）において使用することができる。ビーム形成は、プリコーディングにより与えられた１または複数の方向でのエネルギーの集中であり得る、アレイの利得を向上させることができる。ビーム形成は、異なる方向に位置する複数のユーザに同時にサービス提供することを可能にし得る（例えばマルチユーザのＭＩＭＯ）。ＬＴＥにおいて、ＵＥＲＳは、無線デバイスがビーム形成されたデータをコヒーレントに復調することを可能にするべく使用することができる。例えば、ｅＮｏｄｅＢは、物理的なアンテナ要素の相関するアレイを使用し、特定のＵＥの方向の狭ビームを生成することができる。そのようなビームは、ｅＮｏｄｅＢとＵＥとの間で異なるチャネル応答を受け得るので、ＵＥがビーム形成されたデータをコヒーレントに復調することを可能にするべく、ＵＥに固有のＲＳ（ＵＥＲＳ）を使用することができる。閉ループのビーム形成のために、無線デバイスは、ＵＥＲＳを含む受信チャネルに基づいてフィードバックを提供することができる。フィードバックとしては、プリコーディングマトリクスインジケータ（ＰＭＩ）、ランクインジケータ（ＲＩ）、またはチャネル品質インジケータ（ＣＱＩ）が挙げられ得る。開ループのビーム形成は、閉ループのビーム形成に対して限定されたフィードバックを有する可能性がある。
【００３６】
ｅＰＤＣＣＨを使用すると、半永続的スケジューリング（ＳＰＳ）のＰＤＣＣＨ検証も修正することができる。ＳＰＳは、無線リソースがセミスタティックに構成され、１つのサブフレームよりも長い期間、無線デバイスに配分されることを可能にし、各サブフレームについてＰＤＣＣＨを介する特定のダウンリンク割り当てメッセージまたはアップリンク許可メッセージの必要性を回避する。ＳＰＳは、データパケットが小さくて周期的であり、セミスタティックなサイズのボイスオーバーインターネットプロトコル（ＶｏＩＰ）等のサービスには有用であり得る。ＶｏＩＰのようなサービスについては、送信に必要とされる無線リソースのタイミングおよび量が予測可能である。従って、ＰＤＣＣＨのオーバーヘッド（例えばｅＰＤＣＣＨ）は、動的スケジューリングと比較して顕著に低減することができる。ＳＰＳは、無線リソース制御（ＲＲＣ）シグナリング等の上位層のシグナリングによって構成することができ、これは、無線リソースが周期的に割り当てられる間隔を示す。
【００３７】
半永続的スケジューリング（ＳＰＳ）のセル無線ネットワーク一時識別子（Ｃ−ＲＮＴＩ）は、ＳＰＳにおいて使用することができる。スケジューリングメッセージのＳＰＳ  Ｃ−ＲＮＴＩは、半永続的にスケジュールされたＰＤＳＣＨデータ送信用のＰＤＣＣＨで送信することができる。ＳＰＳ  Ｃ−ＲＮＴＩは、無線デバイス（例えばＵＥ）がＳＰＳメッセージを、Ｃ−ＲＮＴＩにより識別した動的スケジューリングメッセージと区別することを可能にする。識別子（すなわちＳＰＳのＣ−ＲＮＴＩ）は、ＰＤＣＣＨ送信の巡回冗長検査（ＣＲＣ）に適用されるスクランブリングコードとして送信することができる。動的スケジューリングは、ダウンリンク送信リソースの配分のためのダウンリンク割り当てメッセージ、およびアップリンク送信リソースの配分のためのアップリンク許可メッセージを提供することができ、これらは、特定の１つのサブフレームについて有効であり得る。動的スケジューリングは、伝送制御プロトコル（ＴＣＰ）およびシグナリング無線ベアラ（ＳＲＢ）のサービスタイプ等、バースト的で動的な速度のトラフィックに効率的であり得る。
【００３８】
巡回冗長検査（ＣＲＣ）は、送信されるデータのブロックに追加されたエラー検出コードであり得る。ＣＲＣの値は、データのブロックから計算することができる。ＣＲＣの長さは、データを受信するときに、データのブロックで検出され得るエラーの数を決定することができる。ＣＲＣは、エラーを訂正し、またはどのビットが誤っているかを判断することができない場合がある。
【００３９】
ＳＰＳのアクティブ化は動的スケジューリングよりも時間がかかるので、ＳＰＳにおいて使用されるＣＲＣ（例えば仮想ＣＲＣ）は、動的スケジューリングよりもはるかに有害であり得る、ＣＲＣの誤った肯定を生成し得る。従って、結果として、ＳＰＳのＣ−ＲＮＴＩによりマスクしたスケジューリングのために、更なるＰＤＣＣＨ検証手順を用いることができる。誤った肯定のエラーは、条件が実際には満たされていないときに、所与の条件が満たされていると示す結果である可能性がある。例えば、誤った肯定は、ＣＲＣがエラーを生成するべきであるが、エラーを生成しないときに生じ得る。
【００４０】
ｅＰＤＣＣＨとレガシーＰＤＣＣＨとの間には様々な相違が存在する。ｅＰＤＣＣＨとレガシーＰＤＣＣＨとの間の１つの相違は、ｅＰＤＣＣＨがＰＲＢの粒状度（図６〜７に図示する）を有するＰＤＳＣＨを備えたＦＤＭであるが、レガシーＰＤＣＣＨ１６０は、ＯＦＤＭシンボルの粒状度（図１に図示）を有するＰＤＳＣＨ１６６を用いて時分割多重化（ＴＤＭ）され得ることである。ｅＰＤＣＣＨとレガシーＰＤＣＣＨとの間の相違は、ＳＰＳのＣ−ＲＮＴＩによりマスクしたスケジューリングの更なるＰＤＣＣＨ検証を作成するべく使用することができる。
【００４１】
無線デバイスは、ｅＰＤＣＣＨ送信されたＤＣＩを受信する前のｅＰＤＣＣＨに対して構成したＰＲＢのペアを判断することができる。一例において、無線デバイスは、ＲＲＣシグナリング等、高い層のシグナリングによりｅＰＤＣＣＨに対して構成したＰＲＢのペアを判断することができる。一例において、ｅＰＤＣＣＨおよびＰＤＳＣＨは、ＰＲＢのペアレベルで周波数分割多重伝送（ＦＤＭ）され得る。図３は、１つのＰＲＢのペアにおける異なるＤＣＩのＦＤＭを図示する。別の例において、ＰＤＳＣＨおよびｅＰＤＣＣＨは、同一のＰＲＢ（または同一のＰＲＢのペア）内で多重化されないことがあり、従って、ｅＰＤＣＣＨおよびＰＤＳＣＨは、同一のＰＲＢのペアにおいて存在しないことがある。
【００４２】
ＤＣＩにおけるリソース配分シグナリングは、どのＰＲＢがＰＤＳＣＨに配分されているかを示すことができる。ＰＤＳＣＨ送信に対してｅＰＤＣＣＨのＰＲＢを可能にしない場合、無線デバイスは、リソース配分シグナリングがＰＤＳＣＨ送信に対するｅＰＤＣＣＨのＰＲＢをなおも示すときは、正しくないＤＣＩを検出する可能性がある。レガシーＰＤＣＣＨにおいて、粒状度はＰＲＢに基づくのではなく、ＯＦＤＭシンボルに基づき、リソース配分はＰＲＢに基づくので、ＤＣＩの検査は、レガシーＰＤＣＣＨには必要とされないことがある。
【００４３】
一例において、ＳＰＳのＣ−ＲＮＴＩによりマスクしたスケジューリングに対するＰＤＣＣＨ検証は、ｅＰＤＣＣＨ搬送されるＤＣＩの更なる検証を行う無線デバイスを含み得る。例えば、ＤＣＩがリソース配分（ＲＡ）タイプ０のリソースブロック群（ＲＢＧ）に基づくスケジューリングを使用し、ＰＤＳＣＨ配分が、送信されたｅＰＤＣＣＨにおけるＰＲＢを含む（またはこれと重なり合う）１つのＲＢＧを含む場合、無線デバイスは、ＰＤＳＣＨのＰＲＢのリソース配分から少なくとも１つのｅＰＤＣＣＨのＰＲＢを除外する（または減じる）ことができる。１つの選択肢において、無線デバイスは、ＰＤＳＣＨのＰＲＢ配分から、無線デバイス用のｅＰＤＣＣＨのＰＲＢ（例えばｅＰＤＣＣＨのＰＲＢのペア）を除外することができる。別の選択肢において、無線デバイスは、ＰＤＳＣＨのＰＲＢ配分から、同一のサブフレーム内の全てのｅＰＤＣＣＨのＰＲＢ（例えば、全ての無線デバイスに対するｅＰＤＣＣＨのＰＲＢのペア）を除外することができる。換言すれば、無線デバイスは、ｅＰＤＣＣＨが送信される同一のサブフレームにおいて、ｅＰＤＣＣＨについて構成した全てのＰＲＢのペアを除外することができる。
【００４４】
タイプ０のリソース配分において、ビットマップは、スケジュールされた無線デバイスに配分され得るリソースブロック群（ＲＢＧ）を示すことができ、ＲＢＧは、周波数における連続したＰＲＢのセットであり得る。ＲＢＧのサイズＰは、ダウンリンクシステム帯域幅の関数
【数２】
0005987231.tif 000003
であり得る。ＲＢＧのサイズＰは、ＲＢＧ内のＰＲＢの数であり得る。一例において、
【数３】
0005987231.tif 000004
のダウンリンクシステム帯域幅に対するＲＢＧの総数
【数４】
0005987231.tif 000005
は、
【数５】
0005987231.tif 000006
によって与えられる。１０またはこれより少ないＰＲＢのダウンリンクシステム帯域幅（例えば１．４ＭＨｚ）に対しては、ＲＢＧのサイズＰは、１つのＲＢＧ毎に１つのＰＲＢであり得る。１１〜２６のＰＲＢのダウンリンクシステム帯域幅（例えば３または５ＭＨｚ）に対しては、ＲＢＧのサイズＰは、１つのＲＢＧ毎に２つのＰＲＢであり得る。２７〜６３のＰＲＢのダウンリンクシステム帯域幅（例えば１０ＭＨｚ）に対しては、ＲＢＧのサイズＰは、１つの群毎に３つのＰＲＢであり得る。６４〜１１０のＰＲＢのダウンリンクシステム帯域幅（例えば１５または２０ＭＨｚ）に対しては、ＲＢＧのサイズＰは、１つのＲＢＧ毎に４つのＰＲＢであり得る。
【００４５】
図６は、１０ＭＨｚのダウンリンクシステム帯域幅（例えば５０ＰＲＢ。図２の３１６を参照）を有するＲＡタイプ０が使用される、サブフレーム（またはスロット）を図示する。サブフレームは、複数のＰＲＢ２３０ａ〜ｆ、および２３６を有するＲＢＧ２２４ａ〜ｂを含み得る。ＲＢ群（ＲＢＧ）は、ｅＰＤＣＣＨのＰＲＢを含み得る複数のＲＢを含み得る。サブフレームのフレームは、ＰＤＳＣＨ２０２のＰＲＢ２３０ａ、ｃ〜ｆ、およびｅＰＤＣＣＨ２１２のＰＲＢ２３６について構成され得る。ｅＰＤＣＣＨのＰＲＢが無線デバイスに対するものであり、または無線デバイスがサブフレーム内の全てのｅＰＤＣＣＨのＰＲＢに対するＰＤＳＣＨリソース配分からｅＰＤＣＣＨ２１２を除外し得る場合、無線デバイスは、ＰＤＳＣＨリソース配分からｅＰＤＣＣＨ２１２を除外し得る。
【００４６】
別の例において、ＤＣＩがＲＡタイプ１のＰＲＢに基づくスケジューリングを使用し、ＰＤＳＣＨ配分が１つのＰＲＢを含む（またはこれと重なり合う）１つのＰＲＢを含み、ＰＲＢにおいてｅＰＤＣＣＨが送信される場合、無線デバイスは、ＰＤＳＣＨのＰＲＢのリソース配分から少なくとも１つのｅＰＤＣＣＨのＰＲＢを除外する（または減じる）ことができる。１つの選択肢において、無線デバイスは、ＰＤＳＣＨのＰＲＢ配分から、無線デバイスに対するｅＰＤＣＣＨのＰＲＢ（例えばｅＰＤＣＣＨのＰＲＢのペア）を除外することができる。別の選択肢において、無線デバイスは、ＰＤＳＣＨのＰＲＢ配分から、同一のサブフレームに対する全てのｅＰＤＣＣＨのＰＲＢ（例えば、全ての無線デバイスに対するｅＰＤＣＣＨのＰＲＢのペア）を除外することができる。
【００４７】
タイプ１のリソース配分において、個々のＰＲＢは、利用可能なＰＲＢのサブセット内で処理され得る。ＲＡタイプ１に使用されるビットマップは、いくつかのビットは、ＲＢＧのどのサブセットが処理されるか、およびビットマップ位置における推移を示すべく使用することができるので、ＲＡタイプ０に対するよりもやや小さいことがある。ビットの総数（記載される表示に使用される追加のフラグを含む）は、ＲＡタイプ０に使用されるビットと同様になり得る。ＲＡタイプ１は、周波数ドメイン全体でリソースを展開することで周波数ダイバーシチを活用するときに柔軟性を提供する。
【００４８】
図７は、１５または２０ＭＨｚ（例えば７５または１００のＰＲＢ。図２の３１８または３２０を参照）のダウンリンクシステム帯域幅を有するＲＡタイプ１を使用する、サブフレーム（またはスロット）を図示し、仮想ＲＢ（ＶＲＢ）は、Ｐ  ＲＢＧのサブセットのうちの１つである。サブフレームは、複数のＰＲＢ２３０ｃ、ｅ、ｇ、および２３２を含み得る。サブフレームのフレームは、ＰＤＳＣＨ２０２のＰＲＢ２３０ｃ、ｅ、ｇ、およびｅＰＤＣＣＨ２１０のＰＲＢ２３６について構成され得る。ｅＰＤＣＣＨのＰＲＢが無線デバイスに対するものであり、または無線デバイスがサブフレーム内の全てのｅＰＤＣＣＨのＰＲＢに対するＰＤＳＣＨリソース配分から、ｅＰＤＣＣＨ２１０を除外することができる場合、無線デバイスは、ＰＤＳＣＨリソース配分からｅＰＤＣＣＨ２１０を除外することができる。
【００４９】
ＲＡタイプ０およびＲＡタイプ１と同様に、ＤＣＩがＲＡタイプ２の隣接するＰＲＢに基づくスケジューリングを使用し、ＰＤＳＣＨ配分が、送信されたｅＰＤＣＣＨにおけるＰＲＢを含む（またはこれと重なり合う）１または複数のＰＲＢを含む場合、無線デバイスは、ＰＤＳＣＨのＰＲＢのリソース配分から少なくとも１つのｅＰＤＣＣＨのＰＲＢを除外する（または減じる）ことができる。１つの選択肢において、無線デバイスは、ＰＤＳＣＨのＰＲＢ配分から、無線デバイスに対するｅＰＤＣＣＨのＰＲＢ（例えばｅＰＤＣＣＨのＰＲＢのペア）を除外することができる別の選択肢において、無線デバイスは、ＰＤＳＣＨのＰＲＢ配分から、同一のサブフレーム内の全てのｅＰＤＣＣＨのＰＲＢ（例えば、全ての無線デバイスに対するｅＰＤＣＣＨのＰＲＢのペア）を除外することができる。
【００５０】
タイプ２のリソース配分において、リソース配分情報は、リソース配分メッセージにおいて１ビットのフラグにより示されるものとしてローカライズマッピング、または分散マッピングのいずれかを使用して、ＰＲＢの隣接するセットを示す。ＰＲＢ配分は、ダウンリンクシステム帯域幅に及ぶ１つのＰＲＢから最大数のＰＲＢまで変動することがある。
【００５１】
別の例において、ＬＴＥ仕様書等の仕様書は、ｅＰＤＣＣＨのＰＲＢをＰＤＳＣＨ送信に使用することができず、またはＰＤＳＣＨ配分において使用することができない旨を限定することができ、これにより、無線デバイスが、ｅＰＤＣＣＨのＰＲＢがＤＣＩにおけるリソース配分シグナリングに含まれるかを検証し得るので、更なる検証を可能にし得る。
【００５２】
別の構成において、ＲＡタイプ０、ＲＡタイプ１、およびＲＡ２を使用する場合、無線デバイスは、ｅＰＤＣＣＨのＰＲＢがＲＡにおいて使用されることを制限し得る。一例において、無線デバイス用のｅＰＤＣＣＨのＰＲＢは、無線デバイスに配分されたＰＤＳＣＨのＰＲＢ内に存在しないことがある。別の例において、全てのｅＰＤＣＣＨのＰＲＢは、ＰＤＳＣＨとして配分され、または送信されたＰＤＳＣＨのＰＲＢ内に存在することが可能でない場合がある。
【００５３】
ｅＰＤＣＣＨ検証が実現すると、無線デバイスは、受信したＤＣＩ情報を、適宜、有効な半永続的なアクティブ化またはリリースとみなし得る。ｅＰＤＣＣＨ検証が実現しない場合、受信したＤＣＩフォーマットは、無線デバイスにより、一致しないＣＲＣと共に受信したものとみなされ得る。
【００５４】
別の例は、図８の流れ図に示すように、ノードの物理リソースブロック（ＰＲＢ）のペアの拡張物理ダウンリンク制御チャネル（ｅＰＤＣＣＨ）の分散制御チャネル要素（ＣＣＥ）およびローカライズＣＣＥを送信するための方法５００を提供する。本方法は、マシン上で命令として実行することができ、命令は、少なくとも１つのコンピュータ可読媒体に含まれる。ブロック５１０のように、本方法は、ノードにより、ＰＲＢのペアの少なくとも１つの分散ＣＣＥと、少なくとも１つのローカライズＣＣＥとをプリコーディングするオペレーションを含む。次に、ブロック５２０のように、少なくとも２つのユーザ機器に固有の基準信号（ＵＥＲＳ）のポートを用いて送信ダイバーシチのための少なくとも１つの分散ＣＣＥを送信し、ＰＲＢのペアの少なくとも１つのローカライズＣＣＥを送信するオペレーションにおいて、少なくとも２つのＵＥＲＳポートを使用して、２つのＣＣＥを送信する。
【００５５】
一例において、ＰＲＢのペアは、１つの分散ＣＣＥと、少なくとも３つのローカライズＣＣＥとを含み得る。  ビーム形成用のプリコーディングベクトルｗは、ローカライズＣＣＥのうちの１つのＵＥＲＳポートに適用することができ、送信ダイバーシチのためのプリコーディングベクトルｏｒｔｈ（ｗ）は、分散ＣＣＥのＵＥＲＳポートに適用することができる。プリコーディングベクトルｏｒｔｈ（ｗ）は、プリコーディングベクトルｗに垂直であり得、ｗおよびｏｒｔｈ（ｗ）は、それぞれ、Ｎｔ×１ベクトルであり得、Ｎｔはノード送信アンテナの数を示す。少なくとも２つのＵＥＲＳポートは、プリコーディングベクトルｗを用いてプリコードしたローカライズＣＣＥと、プリコーディングベクトルｏｒｔｈ（ｗ）を用いてプリコードした分散ＣＣＥとを送信することができる。
【００５６】
別の例において、ＰＲＢのペアは、少なくとも２つの分散ＣＣＥと、少なくとも１つのローカライズＣＣＥとを含み得る。送信ダイバーシチのための２つのプリコーディングベクトルは、分散ＣＣＥの２つのＵＥＲＳポートに適用することができる。送信ダイバーシチのための２つのプリコーディングベクトルは、プリコーディングベクトルｗ１、ｗ２、ｗ３、および／またはｗ４を含むことができ、各プリコーディングベクトルは、Ｎｔ×１ベクトルであり、Ｎｔはノード送信アンテナの数を示す。一例において、ＵＥＲＳポートは、ＵＥＲＳポート７、８、９、および／または１０を含み得る。別の例において、最大１６の異なるプリコーディングベクトルを使用することができる。
【００５７】
別の例は、図９の流れ図に示すように、無線デバイスにおける少なくとも１つの拡張物理ダウンリンク制御チャネル（ｅＰＤＣＣＨ）を用いる物理ダウンリンク共有チャネル（ＰＤＳＣＨ）の物理リソースブロック（ＰＲＢ）配分のための方法６００を提供する。本方法は、マシン上で命令として実行することができ、命令は、少なくとも１つのコンピュータ可読媒体または１つの非一時的機械可読ストレージ媒体に含まれる。本方法は、ブロック６１０のように、ノードから、少なくとも１つのｅＰＤＣＣＨのＰＲＢを含むＰＤＳＣＨのＰＲＢのリソース配分（ＲＡ）を受信するオペレーションを含み、ＰＤＳＣＨのＰＲＢのＲＡは、ｅＰＤＣＣＨにより搬送されたダウンリンク制御情報（ＤＣＩ）に含まれる。ＰＤＳＣＨのＰＲＢのリソース配分から、少なくとも１つのｅＰＤＣＣＨのＰＲＢを除外するオペレーションは、ブロック６２０におけるように進行する。
【００５８】
一例において、少なくとも１つのｅＰＤＣＣＨのＰＲＢは、無線デバイス用のｅＰＤＣＣＨのＰＲＢを含み、従って、ＰＤＳＣＨのＰＲＢのリソース配分から無線デバイス用のｅＰＤＣＣＨのＰＲＢを除外することができる。別の例において、少なくとも１つのｅＰＤＣＣＨのＰＲＢは、サブフレームにおける全てのｅＰＤＣＣＨのＰＲＢを含み、従って、ＰＤＳＣＨのＰＲＢのリソース配分から、サブフレームにおける全てのｅＰＤＣＣＨのＰＲＢを除外することができる。リソース配分のためのリソース配分タイプとしては、ＲＡタイプ０のリソースブロック群（ＲＢＧ）に基づくスケジューリング、仮想リソースブロック（ＶＲＢ）を使用するＲＡタイプ１のＰＲＢに基づくスケジューリング、およびＶＲＢを使用するＲＡタイプ２の隣接するＰＲＢに基づくスケジューリングが挙げられ得る。
【００５９】
本方法は、半永続的スケジューリング（ＳＰＳ）のセル無線ネットワーク一時識別子（Ｃ−ＲＮＴＩ）および「０」に設定されたインジケータフィールドを用いてスクランブルした仮想巡回冗長検査（ＣＲＣ）のパリティビットを使用して、ｅＰＤＣＣＨを復号する無線デバイスを更に含み得る。本方法は、ｅＰＤＣＣＨを受信する前に、無線リソース制御（ＲＲＣ）シグナリングによりノードから、ｅＰＤＣＣＨのＰＲＢ構成情報を受信する無線デバイスを更に含み得る。少なくとも１つのｅＰＤＣＣＨのＰＲＢは、ローカライズｅＰＤＣＣＨおよび分散ｅＰＤＣＣＨのうち少なくとも１つを含む。一例において、少なくとも１つのｅＰＤＣＣＨのＰＲＢは、１つのＰＲＢのペアを含み得る。ＰＲＢのペアは、サブフレームにおける同一のサブキャリアを使用する２つの隣接するＰＲＢであり得る。
【００６０】
図１０は、例示的なノード７１０および例示的な無線デバイス７２０を図示する。ノードは、ノードデバイス７１２を含み得る。ノードデバイスまたはノードは、無線デバイスと通信するように構成され得る。ノードデバイスは、物理リソースブロック（ＰＲＢ）のペアの拡張物理ダウンリンク制御チャネル（ｅＰＤＣＣＨ）の分散制御チャネル要素（ＣＣＥ）と、ローカライズＣＣＥとを送信するように構成され得る。ノードデバイスは、トランシーバモジュール７１６およびプリコーダ７１８を含み得る。プリコーダは、ＰＲＢのペアの少なくとも１つの分散ＣＣＥおよび少なくとも１つのローカライズＣＣＥをプリコードするように構成され得る。トランシーバモジュールは、無線デバイスに、少なくとも２つのユーザ機器に固有の基準信号（ＵＥＲＳ）ポートを使用して、送信ダイバーシチのための少なくとも１つの分散ＣＣＥを送信し、ＰＲＢのペアの少なくとも１つのローカライズＣＣＥを送信するように構成され得る。少なくとも２つのＵＥＲＳポートは、２つのＣＣＥを送信するべく使用することができる。
【００６１】
一例において、ＰＲＢのペアは、１つの分散ＣＣＥと、少なくとも３つのローカライズＣＣＥとを含み得る。ビーム形成用のプリコーディングベクトルｗは、ローカライズＣＣＥのうちの１つに対するＵＥＲＳポートに適用することができ、送信ダイバーシチのためのプリコーディングベクトルｏｒｔｈ（ｗ）は、分散ＣＣＥのＵＥＲＳポートに適用することができる。プリコーディングベクトルｏｒｔｈ（ｗ）は、プリコーディングベクトルｗに垂直であり得、ｗおよびｏｒｔｈ（ｗ）は、それぞれ、Ｎｔ×１ベクトルであり得、Ｎｔはノード送信アンテナの数を示す。プリコーダ７１８は、プリコーディングベクトルｗを有するローカライズＣＣＥと、プリコーディングベクトルｏｒｔｈ（ｗ）を有する分散ＣＣＥとをプリコードするように構成され得る。トランシーバモジュール７１６は、少なくとも２つのＵＥＲＳポートを使用して、ローカライズＣＣＥおよび分散ＣＣＥを送信するように構成され得る。
【００６２】
別の例において、ＰＲＢのペアは、少なくとも２つの分散ＣＣＥおよび少なくとも１つのローカライズＣＣＥを含み得る。プリコーダ７１８は、送信ダイバーシチのための少なくとも２つのプリコーディングベクトルを使用して、少なくとも２つの分散ＣＣＥをプリコードするように構成され得る。トランシーバモジュール７１６は、少なくとも２つのＵＥＲＳポートを使用して、分散ＣＣＥを送信するように構成され得る。送信ダイバーシチのための少なくとも２つのプリコーディングベクトルは、プリコーディングベクトルｗ１、ｗ２、ｗ３、および／またはｗ４を含むことができ、各プリコーディングベクトルは、Ｎｔ×１ベクトルであり、Ｎｔは、ノード送信アンテナの数を示す。一例において、ＵＥＲＳポートは、ＵＥＲＳポート７、８、９、および／または１０を含み得る。別の例において、最大１６の異なるプリコーディングベクトルを使用することができる。
【００６３】
別の例において、ノードデバイス７１２は、少なくとも１つの拡張物理ダウンリンク制御チャネル（ｅＰＤＣＣＨ）を用いて、物理ダウンリンク共有チャネル（ＰＤＳＣＨ）の物理リソースブロック（ＰＲＢ）配分のために構成され得る。ノードデバイスは、処理モジュール７１４およびトランシーバモジュール７１６を含み得る。処理モジュールは、少なくとも１つのｅＰＤＣＣＨのＰＲＢを含むＰＤＳＣＨのＰＲＢのリソース配分（ＲＡ）を生成するように構成され得る。トランシーバモジュールは、ｅＰＤＣＣＨにより搬送されたダウンリンク制御情報（ＤＣＩ）を介してＰＤＳＣＨのＰＲＢのＲＡを送信するように構成され得る。別の例において、トランシーバモジュールは、ＰＤＳＣＨのＰＲＢのＲＡを送信する前に、無線リソース制御（ＲＲＣ）シグナリングによりｅＰＤＣＣＨに対するＰＲＢ構成情報を送信するように構成され得る。
【００６４】
ノード７１０は、基地局（ＢＳ）、ノードＢ（ＮＢ）、進化型ノードＢ（ｅＮＢ）、ベースバンドユニット（ＢＢＵ）、遠隔無線ヘッド（ＲＲＨ）、遠隔無線機器（ＲＲＥ）、または遠隔無線ユニット（ＲＲＵ）を含み得る。
【００６５】
無線デバイス７２０は、トランシーバモジュール７２４およびチャネル推定器７２６を含み得る。無線デバイスは、少なくとも１つの拡張物理ダウンリンク制御チャネル（ｅＰＤＣＣＨ）に対する物理リソースブロック（ＰＲＢ）のペアの分散制御チャネル要素（ＣＣＥ）およびローカライズＣＣＥを受信するように構成され得る。トランシーバモジュールは、ＰＲＢのペアの送信ダイバーシチのための少なくとも１つの分散ＣＣＥと、少なくとも１つのローカライズＣＣＥとを受信するように構成され得る。少なくとも２つのユーザ機器に固有の基準信号（ＵＥＲＳ）のポートは、２つのＣＣＥを受信するべく使用することができる。チャネル推定器は、少なくとも２つのＵＥＲＳポートを監視し、ダウンリンクチャネルを推定するように構成され得る。
【００６６】
一例において、ＰＲＢのペアは、１つの分散ＣＣＥと、少なくとも３つのローカライズＣＣＥとを含み得る。ビーム形成用のプリコーディングベクトルｗは、ローカライズＣＣＥのうちの１つに対するＵＥＲＳポートに適用することができ、送信ダイバーシチのためのプリコーディングベクトルｏｒｔｈ（ｗ）は、分散ＣＣＥのＵＥＲＳポートに適用することができる。プリコーディングベクトルｏｒｔｈ（ｗ）は、プリコーディングベクトルｗに垂直であり得、ｗおよびｏｒｔｈ（ｗ）は、それぞれ、Ｎｔ×１ベクトルであり得、Ｎｔは、ノード送信アンテナの数を示す。
【００６７】
別の例において、ＰＲＢのペアは、少なくとも２つの分散ＣＣＥと、少なくとも１つのローカライズＣＣＥとを含み得る。チャネル推定器７２６は、分散ＣＣＥの２つのＵＥＲＳポートに適用される送信ダイバーシチのための２つのプリコーディングベクトルを用いてプリコードしたダウンリンクチャネルをデコードすることができる。送信ダイバーシチのための２つのプリコーディングベクトルは、プリコーディングベクトルｗ１、ｗ２、ｗ３、および／またはｗ４を含むことができ、各プリコーディングベクトルは、Ｎｔ×１ベクトルであり、Ｎｔは、ノード送信アンテナの数を示す。
【００６８】
別の構成において、無線デバイス７２０は、トランシーバモジュール７２４および処理モジュール７２２を含み得る。無線デバイスは、拡張物理ダウンリンク制御チャネル（ｅＰＤＣＣＨ）検証の半永続的なスケジューリング（ＳＰＳ）のセル無線ネットワーク一時識別子（Ｃ−ＲＮＴＩ）によりマスクしたスケジューリングについて構成され得る。トランシーバモジュールは、少なくとも１つのｅＰＤＣＣＨのＰＲＢを含むＰＤＳＣＨのＰＲＢのリソース配分（ＲＡ）を有するｅＰＤＣＣＨにより搬送されたダウンリンク制御情報（ＤＣＩ）を受信するように構成され得る。処理モジュールは、ＰＤＳＣＨのＰＲＢのリソース配分から少なくとも１つのｅＰＤＣＣＨのＰＲＢを除外するように構成され得る。
【００６９】
一例において、少なくとも１つのｅＰＤＣＣＨのＰＲＢは、無線デバイス用のｅＰＤＣＣＨのＰＲＢを含み、従ってＰＤＳＣＨのＰＲＢのリソース配分から、無線デバイス用のｅＰＤＣＣＨのＰＲＢを除外することができる。別の例において、少なくとも１つのｅＰＤＣＣＨのＰＲＢは、サブフレームにおける全てのｅＰＤＣＣＨのＰＲＢを含み、従って、ＰＤＳＣＨのＰＲＢのリソース配分から、サブフレームにおける全てのｅＰＤＣＣＨのＰＲＢを除外することができる。リソース配分のためのリソース配分タイプとしては、ＲＡタイプ０のリソースブロック群（ＲＢＧ）に基づくスケジューリング、仮想リソースブロック（ＶＲＢ）を使用するＲＡタイプ１のＰＲＢに基づくスケジューリング、およびＶＲＢを使用するＲＡタイプ２の隣接するＰＲＢに基づくスケジューリングが挙げられ得る。
【００７０】
別の構成において、無線デバイス７２０は、ＳＰＳのＣ−ＲＮＴＩを用いてスクランブルした仮想巡回冗長検査（ＣＲＣ）のパリティビットを使用してｅＰＤＣＣＨをデコードするように構成したデコーダ７２８も含むことができる。処理モジュール７２２は、ｅＰＤＣＣＨにおける有効な半永続的なアクティブ化またはリリースのためのインジケータフィールドが、「０」の値であるかを検査するように更に構成される。トランシーバモジュールは、無線リソース制御（ＲＲＣ）シグナリングによるｅＰＤＣＣＨについてのＰＲＢ構成情報を受信するように更に動作可能であり得る。
【００７１】
図１１は、ユーザ機器（ＵＥ）、移動局（ＭＳ）、モバイル無線デバイス、モバイル通信デバイス、タブレット、ハンドセット、または他のタイプの無線デバイス等の無線デバイスの例示的な説明図を提供する。無線デバイスは、ノード、マクロノード、低電力ノード（ＬＰＮ）、または基地局（ＢＳ）、進化型ノードＢ（ｅＮＢ）ベースバンドユニット（ＢＢＵ）、遠隔無線ヘッド（ＲＲＨ）、遠隔無線機器（ＲＲＥ）、中継局（ＲＳ）、無線機器（ＲＥ）等の送信局、または他のタイプの無線広域ネットワーク（ＷＷＡＮ）のアクセスポイントと通信するように構成された１または複数のアンテナを含み得る。無線デバイスは、３ＧＰＰ  ＬＴＥ、ＷｉＭＡＸ（登録商標）、高速パケットアクセス（ＨＳＰＡ）、Ｂｌｕｅｔｏｏｔｈ（登録商標）、およびＷｉＦｉを含む少なくとも１つの無線通信規格を使用して通信するように構成され得る。無線デバイスは、それぞれの無線通信規格毎の別個のアンテナ、または複数の無線通信規格毎の共有アンテナを使用して通信することができる。無線デバイスは、無線ローカルエリアネットワーク（ＷＬＡＮ）、無線パーソナルエリアネットワーク（ＷＰＡＮ）、および／またはＷＷＡＮにおいて通信することができる。
【００７２】
また、図１１は、無線デバイスからの音声入力および音声出力に使用され得るマイクおよび１または複数のスピーカの説明図を提供する。ディスプレイ画面は、液晶ディスプレイ（ＬＣＤ）画面、または有機発光ダイオード（ＯＬＥＤ）ディスプレイ等の他のタイプのディスプレイ画面であってもよい。ディスプレイ画面は、タッチスクリーンとして構成され得る。タッチスクリーンは、静電容量、抵抗性、または別のタイプのタッチスクリーン技術を用いてもよい。アプリケーションプロセッサおよびグラフィックスプロセッサは、内部メモリに連結して、処理機能およびディスプレイ機能を提供することができる。不揮発性メモリポートは、ユーザにデータ入力／出力の選択肢を提供するべく使用することもできる。また、不揮発性メモリポートは、無線デバイスのメモリ機能を拡張するべく使用することができる。キーボードは、追加のユーザ入力を提供するべく、無線デバイスと統合し、または無線で無線デバイスに接続してもよい。タッチスクリーンを使用する仮想キーボードも提供することもできる。
【００７３】
様々な技術、またはそのいくつかの態様もしくはその一部は、フロッピー（登録商標）ディスケット、ＣＤ−ＲＯＭ、ハードドライブ、非一時的コンピュータ可読ストレージ媒体、またはその他の機械可読ストレージ媒体等の有体の媒体において実施されるプログラムコード（すなわち命令）の形態を取ってもよく、コンピュータ等のマシンにプログラムコードをロードし、マシンによって実行すると、マシンは様々な技術を実施するための装置となる。プログラマブルコンピュータ上でプログラムコードを実行する場合、コンピュータデバイスは、プロセッサ、プロセッサにより可読のストレージ媒体（揮発性および不揮発性メモリ、ならびに／またはストレージ要素を含む）、少なくとも１つの入力デバイス、および少なくとも１つの出力デバイスを含み得る。揮発性および不揮発性メモリ、ならびに／またはストレージ要素は、ＲＡＭ、ＥＰＲＯＭ、フラッシュドライブ、光ドライブ、磁気ハードドライブ、または電子データを格納する他の媒体であってもよい。ノードおよび無線デバイスは、トランシーバモジュール、カウンタモジュール、処理モジュール、および／またはクロックモジュールもしくはタイマモジュールも含んでもよい。本明細書において説明する様々な技術を実装または使用し得る１または複数のプログラムは、アプリケーションプログラミングインターフェース（ＡＰＩ）、再利用可能な制御器等を使用してもよい。そのようなプログラムは、高レベルプロシージャ言語またはオブジェクト指向のプログラミング言語で実装し、コンピュータシステムと通信し得る。しかし、プログラムは、所望であればアセンブリ言語またはマシン言語で実装してもよい。いずれの場合でも、言語はコンパイル言語または解釈言語であってもよく、ハードウェア実装と組み合わせてもよい。
【００７４】
実装の独立性をより具体的に強調するべく、本明細書において説明する機能的ユニットの多くがモジュールと呼ばれていることを理解されたい。例えば、モジュールは、カスタムのＶＬＳＩ回路もしくはゲートアレイ、ロジックチップ、トランジスタ等の既製の半導体、または他のディスクリート部品を備えるハードウェア回路として実装してもよい。また、モジュールは、フィールドプログラマブルゲートアレイ、プログラマブルアレイロジック、プログラマブル論理デバイス等のプログラマブルハードウェアデバイスにおいて実装してもよい。
【００７５】
また、モジュールは、様々なタイプのプロセッサにより実行するべくソフトウェアにおいて実装してもよい。実行可能なコードの識別されたモジュールは、例えばコンピュータ命令の１または複数の物理ブロックもしくは論理ブロックを含んでもよく、これらは、例えばオブジェクト、プロシージャ、または関数として編成してもよい。それにも拘わらず、識別されたモジュールの実行可能な項目は、物理的に一緒に位置する必要はないが、論理的に一緒に結合されると、モジュールを構成し、モジュールの記載した目的を達成する異なる位置に格納された分離された命令を含んでもよい。
【００７６】
確かに、実行可能なコードのモジュールは、１つの命令、または多くの命令であってもよく、更に、いくつかの異なるコードセグメントにわたり、異なるプログラム間に、いくつかのメモリデバイス全体に分散してもよい。同様に、本明細書においては、処理データは、モジュール内で識別および図示することができ、任意の好適なタイプのデータ構造内で任意の好適な形式で実施および編成してもよい。処理データは、単一のデータセットとして収集してもよく、または異なるストレージデバイス上を含む、異なる位置上に分散してもよく、少なくとも部分的に、システムまたはネットワーク上の電子信号として単に存在するのみでもよい。モジュールは、受動または能動であり、所望の機能を実行するように動作可能なエージェントを含んでもよい。
【００７７】
本明細書全体で「例」に言及する場合、特定の特徴、構造、または例に関連して説明される特性が本発明の少なくとも１つの実施形態に含まれることを意味する。従って、本明細書全体の様々な箇所で「一例において」の文言が現れても、全てが必ずしも同一の実施形態を指しているわけではない。
【００７８】
本明細書において用いられるように、複数の項目、構造的要素、組成上の要素、および／または材料は、利便性のために共通の列挙において提示され得る。しかし、これらの列挙は、列挙の各部材が別個で特有の部材として個々に特定されるのと同様に解釈されるべきである。従って、そのような列挙の個々の部材は、共通の群における表示にのみ基づいて、相反する指示のない限り、同一の列挙のその他の部材の事実上の均等物として解釈されるべきである。更に、本発明の様々な実施形態および例は、本明細書において、その様々な構成要素に対する代替形態と共に言及され得る。そのような実施形態、例、および代替形態は、互いに事実上の均等物として解釈されるものではなく、本発明の別個かつ自立的な表現とみなされるものであることを理解されたい。
【００７９】
更に、説明した特徴、構造、または特性は、１または複数の実施形態における任意の好適な態様で組み合わせることができる。以下の説明において、レイアウト、距離、ネットワーク例等の例示など多くの具体的な詳細を提供し、本発明の実施形態の完全な理解を提供する。しかし、当業者は、特定の詳細事項の１または複数を用いずに、または他の方法、コンポーネント、レイアウト等を用いて本発明を実施し得ることを理解するであろう。他の例において、本発明の態様を不明瞭にすることを回避するべく、周知の構造、材料、またはオペレーションは図示または記載されない。
【００８０】
上述の例は、１または複数の具体的な用途における本発明の原理を図示するが、当業者には発明の才を行使せずに、かつ本発明の原理およびコンセプトを逸脱することなく実装の形式、使用、および詳細において多くの変更形態を為し得ることが明らかであろう。従って、以下に記載される特許請求の範囲による場合を除き、本発明は限定されることを意図しない。
［項目１］
ノードから、物理リソースブロック（ＰＲＢ）のペアの拡張物理ダウンリンク制御チャネル（ｅＰＤＣＣＨ）の分散制御チャネル要素（ＣＣＥ）およびローカライズＣＣＥを送信するための方法であって、
前記ノードにより、前記ＰＲＢのペアに対する少なくとも１つの分散ＣＣＥおよび少なくとも１つのローカライズＣＣＥをプリコーディングする段階と、
少なくとも２つのユーザ機器に固有の基準信号（ＵＥＲＳ）ポートを使用して、送信ダイバーシチのための前記少なくとも１つの分散ＣＣＥを送信する段階と、
前記ＰＲＢのペアの前記少なくとも１つのローカライズＣＣＥを送信する段階とを備え、
前記少なくとも２つのＵＥＲＳポートを使用して２つのＣＣＥを送信する方法。
［項目２］
前記ＰＲＢのペアは、１つの分散ＣＣＥと、少なくとも３つのローカライズＣＣＥとを含み、ビーム形成用のプリコーディングベクトルｗは、前記ローカライズＣＣＥのうちの１つのＵＥＲＳポートに適用され、送信ダイバーシチのためのプリコーディングベクトルｏｒｔｈ（ｗ）は、前記分散ＣＣＥのＵＥＲＳポートに適用され、ｏｒｔｈ（ｗ）は、ｗに垂直なプリコーディングベクトルであり、ｗおよびｏｒｔｈ（ｗ）は、それぞれ、Ｎｔ×１ベクトルであり、
Ｎｔは、ノード送信アンテナの数を示し、前記少なくとも２つのＵＥＲＳポートは、プリコーディングベクトルｗを用いてプリコードされた前記ローカライズＣＣＥと、プリコーディングベクトルｏｒｔｈ（ｗ）を用いてプリコードした前記分散ＣＣＥを送信する、項目１に記載の方法。
［項目３］
前記ＰＲＢのペアは、少なくとも２つの分散ＣＣＥと、少なくとも１つのローカライズＣＣＥとを含み、送信ダイバーシチのための２つのプリコーディングベクトルは、前記分散ＣＣＥの２つのＵＥＲＳポートに適用され、送信ダイバーシチのための前記２つのプリコーディングベクトルは、複数のプリコーディングベクトルｗ１、ｗ２、ｗ３、およびｗ４からなる群から選択され、各プリコーディングベクトルは、Ｎｔ×１ベクトルであり、
Ｎｔは、ノード送信アンテナの数を示す、項目１または２に記載の方法。
［項目４］
項目１に記載の方法を実行するコンピュータプログラムコード手段を備えるコンピュータプログラム。
［項目５］
少なくとも１つの拡張物理ダウンリンク制御チャネル（ｅＰＤＣＣＨ）に対する物理リソースブロック（ＰＲＢ）のペアの分散制御チャネル要素（ＣＣＥ）およびローカライズＣＣＥを受信する無線デバイスであって、
前記ＰＲＢのペア内の送信ダイバーシチのための少なくとも１つの分散ＣＣＥと、少なくとも１つのローカライズＣＣＥとを受信するトランシーバモジュールと、
前記少なくとも２つのＵＥＲＳポートを監視し、ダウンリンクチャネルを推定するチャネル推定器とを備え、
前記少なくとも２つのユーザ機器に固有の基準信号（ＵＥＲＳ）ポートを使用して、２つのＣＣＥを受信する無線デバイス。
［項目６］
前記ＰＲＢのペアは、１つの分散ＣＣＥおよび少なくとも３つのローカライズＣＣＥを含み、前記チャネル推定器は、前記ローカライズＣＣＥのうちの１つのＵＥＲＳポートに適用されるビーム成形用のプリコーディングベクトルｗを用いてプリコードしたダウンリンクチャネルと、前記分散ＣＣＥのＵＥＲＳポートに適用される送信ダイバーシチのためのプリコーディングベクトルｏｒｔｈ（ｗ）を用いてプリコードされた前記ダウンリンクチャネルとをデコードし、
ｏｒｔｈ（ｗ）は、ｗに垂直なプリコーディングベクトルであり、ｗおよびｏｒｔｈ（ｗ）は、それぞれ、Ｎｔ×１ベクトルであり、
Ｎｔは、ノード送信アンテナの数を示す、項目５に記載の無線デバイス。
［項目７］
前記ＰＲＢのペアは、少なくとも２つの分散ＣＣＥおよび少なくとも１つのローカライズＣＣＥを含み、前記チャネル推定器は、前記少なくとも２つの分散ＣＣＥの２つのＵＥＲＳポートに適用される送信ダイバーシチのための２つのプリコーディングベクトルを用いてプリコードされたダウンリンクチャネルをデコードし、送信ダイバーシチのための前記２つのプリコーディングベクトルは、複数のプリコーディングベクトルｗ１、ｗ２、ｗ３、およびｗ４からなる群から選択され、各プリコーディングベクトルは、Ｎｔ×１ベクトルであり、
Ｎｔは、ノード送信アンテナの数を示す、項目５または６に記載の無線デバイス。
［項目８］
前記無線デバイスは、ユーザ機器（ＵＥ）および移動局（ＭＳ）からなる群から選択され、前記無線デバイスは、アンテナ、タッチセンシティブディスプレイスクリーン、スピーカ、マイク、グラフィックスプロセッサ、アプリケーションプロセッサ、内部メモリ、不揮発性メモリポート、およびこれらの組み合わせのうち少なくとも１つを含む、項目５〜７のいずれか１項に記載の無線デバイス。
［項目９］
無線デバイスで少なくとも１つの拡張物理ダウンリンク制御チャネル（ｅＰＤＣＣＨ）を用いて物理ダウンリンク共有チャネル（ＰＤＳＣＨ）の物理リソースブロック（ＰＲＢ）配分のための方法を実行させるためのコンピュータプログラムであって、
ノードから、少なくとも１つのｅＰＤＣＣＨのＰＲＢを含むＰＤＳＣＨのＰＲＢのリソース配分（ＲＡ）を受信する手順と、
前記ＰＤＳＣＨのＰＲＢのリソース配分から前記少なくとも１つのｅＰＤＣＣＨのＰＲＢを除外する手順とを含み、
前記ＰＤＳＣＨのＰＲＢのリソース配分（ＲＡ）は、ｅＰＤＣＣＨにより搬送されるダウンリンク制御情報（ＤＣＩ）に含まれるコンピュータプログラム。
［項目１０］
前記少なくとも１つのｅＰＤＣＣＨのＰＲＢは、前記無線デバイスに対するｅＰＤＣＣＨのＰＲＢを含む、項目９に記載のコンピュータプログラム。
［項目１１］
前記少なくとも１つのｅＰＤＣＣＨのＰＲＢは、サブフレーム内の全てのｅＰＤＣＣＨのＰＲＢを含む、項目９または１０に記載のコンピュータプログラム。
［項目１２］
前記リソース配分のリソース配分タイプは、ＲＡタイプ０のリソースブロック群（ＲＢＧ）に基づくスケジューリング、複数の仮想リソースブロック（ＶＲＢ）を使用するＲＡタイプ１のＰＲＢに基づくスケジューリング、および複数のＶＲＢを用いるＲＡタイプ２の隣接するＰＲＢに基づくスケジューリングからなる分類から選択される、項目９〜１１のいずれか１項に記載のコンピュータプログラム。
［項目１３］
半永続的スケジューリング（ＳＰＳ）のセル無線ネットワーク一時識別子（Ｃ−ＲＮＴＩ）と、「０」に設定したインジケータフィールドとを用いてスクランブルした仮想巡回冗長検査（ＣＲＣ）の複数のパリティビットを使用して前記ｅＰＤＣＣＨをデコードする手順を更に含む、項目９〜１２のいずれか１項に記載のコンピュータプログラム。
［項目１４］
前記ノードから、前記ｅＰＤＣＣＨを受信する前に、無線リソース制御（ＲＲＣ）シグナリングによりｅＰＤＣＣＨについてのＰＲＢ構成情報を受信する手順を更に含む、項目９〜１３のいずれか１項に記載のコンピュータプログラム。
［項目１５］
拡張物理ダウンリンク制御チャネル（ｅＰＤＣＣＨ）検証の半永続的なスケジューリング（ＳＰＳ）のセル無線ネットワーク一時識別子（Ｃ−ＲＮＴＩ）によりマスクしたスケジューリングについて構成されたユーザ機器（ＵＥ）であって、
少なくとも１つのｅＰＤＣＣＨのＰＲＢと重なり合い、前記ｅＰＤＣＣＨが送信される群を含む、ＰＤＳＣＨのＰＲＢのリソース配分（ＲＡ）を有するｅＰＤＣＣＨにより搬送されたダウンリンク制御情報（ＤＣＩ）を受信するトランシーバモジュールと、
前記ＰＤＳＣＨのＰＲＢのリソース配分から、前記少なくとも１つのｅＰＤＣＣＨのＰＲＢを減じる処理モジュールと
を備えるユーザ機器（ＵＥ）。
［項目１６］
前記少なくとも１つのｅＰＤＣＣＨのＰＲＢは、前記ＵＥのｅＰＤＣＣＨが送信される無線デバイスに対するｅＰＤＣＣＨのＰＲＢを含む、項目１５に記載のＵＥ。
［項目１７］
前記少なくとも１つのｅＰＤＣＣＨのＰＲＢは、ｅＰＤＣＣＨが送信されるサブフレーム内の全てのｅＰＤＣＣＨのＰＲＢを含む、項目１５または１６に記載のＵＥ。
［項目１８］
前記リソース配分のためのリソース配分タイプは、ＲＡタイプ０のリソースブロック群（ＲＢＧ）に基づくスケジューリング、複数の仮想リソースブロック（ＶＲＢ）を使用するＲＡタイプ１のＰＲＢに基づくスケジューリング、および複数のＶＲＢを使用するＲＡタイプ２の隣接するＰＲＢに基づくスケジューリングからなる分類から選択される、項目１５〜１７のいずれか１項に記載のＵＥ。
［項目１９］
前記ＳＰＳのＣ−ＲＮＴＩを用いてスクランブルした仮想巡回冗長検査（ＣＲＣ）の複数のパリティビットを使用して前記ｅＰＤＣＣＨをデコードするデコーダを更に備え、
前記処理モジュールは、有効な半永続的なアクティブ化またはリリースの前記ｅＰＤＣＣＨにおけるインジケータフィールドが「０」の値であるかを更に検査する、項目１５〜１８のいずれか１項に記載のＵＥ。
［項目２０］
前記ＵＥは、アンテナ、タッチセンシティブディスプレイ画面、スピーカ、マイク、グラフィックスプロセッサ、アプリケーションプロセッサ、内部メモリ、不揮発性メモリポート、およびそれらの組み合わせのうち少なくとも１つを備える、項目１５〜１９のいずれか１項に記載のＵＥ。
【図１】
0005987231.tif 000007
【図２】
0005987231.tif 000008
【図３】
0005987231.tif 000009
【図４】
0005987231.tif 000010
【図５】
0005987231.tif 000011
【図６】
0005987231.tif 000012
【図７】
0005987231.tif 000013
【図８】
0005987231.tif 000014
【図９】
0005987231.tif 000015
【図１０】
0005987231.tif 000016
【図１１】
0005987231.tif 000017